Podtech/llm-jp-corpus-v4-ja_patent huggingface dataset:
【手続補正書】
【提出日】平成27年4月13日(2015.4.13)
【手続補正１】
【補正対象書類名】明細書
【補正対象項目名】０００５
【補正方法】変更
【補正の内容】
【０００５】
上記課題を解決するため、請求項１に記載の発明は、
遊技盤の前方に配設される透明部材を保持する透明部材保持枠と、前記透明部材を通して視認可能で、遊技の進行に関連する演出表示として立体画像を表示可能な表示装置と、前記表示装置による演出表示を補助する演出装置と、前記表示装置及び前記演出装置を制御する演出制御手段と、を備えた遊技機において、
前記演出装置は、前記表示装置の前面に重なって配設され常態において透明な表示部を有する前面表示手段を含み、
前記前面表示手段は、
前記表示部を通して前記表示装置における演出表示を視認可能に構成され、
前記表示部に、前記表示装置における演出表示を補助する画像を表示し、
前記演出制御手段は、
前記表示装置に前記立体画像を前記透明部材側に飛び出すように表示させ、
前記表示装置に、前記立体画像として立体動画像を表示させることに関連して、所定の演出制御を実行し、該演出制御に対応させて前記前面表示手段に前記演出表示を補助する画像を表示させることを特徴とする。
【手続補正２】
【補正対象書類名】明細書
【補正対象項目名】０００６
【補正方法】変更
【補正の内容】
【０００６】
ここで、「演出装置」は、映像によるもの、音声によるもの、光によるもの、役物の動作によるもの、振動や風を発生させるもの、始動記憶表示など、演出表示に関連して興趣を高める演出を提供できるものであればどのような装置でもよい。また、「立体動画像を表示させることに関連」とは、タイミング的には、表示装置による演出表示が表示される前、演出表示が表示されているとき、演出表示が表示された後などを含み、その他に、演出表示と連動すること、演出表示の内容に基づくこと（演出表示の内容より連想されるイメージ）、などが含まれる。
また、「演出表示を補助する画像」とは、模様（実施例ではヒビ）、図形、キャラクタ、表示装置において実行される変動表示ゲームで使用される識別図柄と同様な図柄、始動記憶表示の図柄などを含む。前面表示手段は常態において透明な透過型液晶パネルであってもよい。
【手続補正３】
【補正対象書類名】明細書
【補正対象項目名】０００７
【補正方法】変更
【補正の内容】
【０００７】
請求項１に記載の発明によれば、表示装置の前面側に前面表示手段が配設されているので、表示装置により立体画像を表示する場合に、遊技機の前方からは前面表示手段における表示画像及び表示装置における立体動画像が重なった状態で視認可能となり、表示の組み合わせに応じて従来にない斬新な表示が実行されることとなり、表示のインパクトを高め、遊技の興趣を高めることができる。
また、表示装置による立体動画像と、前面表示手段による表示が一連の流れで行われるので、遊技者に与えるインパクトを大きくし、遊技の興趣を高めることができる。
特に、立体動画像の表示に対応させて演出表示を補助する画像が表示されるので、表示装置により表示される画像が奥から手前に移動して来て前面表示手段による表示画像と連携するような演出を実行することで、遊技者に演出内容の進行（ストーリー）を把握させ易くなる。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】特許請求の範囲
【補正対象項目名】全文
【補正方法】変更
【補正の内容】
【特許請求の範囲】
【請求項１】
遊技盤の前方に配設される透明部材を保持する透明部材保持枠と、前記透明部材を通して視認可能で、遊技の進行に関連する演出表示として立体画像を表示可能な表示装置と、前記表示装置による演出表示を補助する演出装置と、前記表示装置及び前記演出装置を制御する演出制御手段と、を備えた遊技機において、
前記演出装置は、前記表示装置の前面に重なって配設され常態において透明な表示部を有する前面表示手段を含み、
前記前面表示手段は、
前記表示部を通して前記表示装置における演出表示を視認可能に構成され、
前記表示部に、前記表示装置における演出表示を補助する画像を表示し、
前記演出制御手段は、
前記表示装置に前記立体画像を前記透明部材側に飛び出すように表示させ、
前記表示装置に、前記立体画像として立体動画像を表示させることに関連して、所定の演出制御を実行し、該演出制御に対応させて前記前面表示手段に前記演出表示を補助する画像を表示させることを特徴とする遊技機。
【手続補正書】
【提出日】平成27年6月16日(2015.6.16)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せに応じて入賞が発生可能なスロットマシンにおいて、
表示結果が導出される前に、遊技用価値の付与を伴う異なる複数種類の小役入賞を含む入賞について発生を許容するか否かを決定する事前決定手段と、
遊技者が表示結果を導出させるために操作する導出操作手段と、
前記導出操作手段が操作されたときに、該導出操作手段に対応する可変表示部に表示結果を導出する制御を行う導出制御手段と、
遊技者にとって有利な有利状態に制御する有利状態制御手段と、
遊技の進行における所定の契機で報知条件に関する制御をし、該報知条件にしたがって所定の情報を報知する報知期間に制御する報知期間制御手段と、
を含み、
前記事前決定手段は、複数種類の小役入賞について発生を許容する旨を同時に決定する同時決定を行うことが可能であり、
前記導出制御手段は、
前記事前決定手段により前記同時決定がなされた場合において、前記導出操作手段が第１の操作順で操作された場合には、発生を許容する旨が決定された複数種類の小役入賞を対象として発生し得る小役入賞の数が多くなるように表示結果を導出する制御を行い、
前記事前決定手段により前記同時決定がなされた場合において、前記導出操作手段が前記第１の操作順とは異なる第２の操作順で操作された場合には、発生を許容する旨が決定された複数種類の小役入賞を対象として付与される遊技用価値が最も多くなり得るように表示結果を導出する制御を行い、
前記報知期間制御手段による前記報知条件に関する制御の有利度が、前記所定の契機のうち所定状態における第１契機と前記所定状態における第２契機とで異なり得るように、前記報知期間制御手段は、前記報知条件に関する制御を行う、スロットマシン。
【手続補正２】
【補正対象書類名】明細書
【補正対象項目名】０００２
【補正方法】変更
【補正の内容】
【０００２】
この種のスロットマシンとしては、特許文献１に記載のものがある。
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】削除
【補正の内容】
【手続補正５】
【補正対象書類名】明細書
【補正対象項目名】０００５
【補正方法】変更
【補正の内容】
【０００５】
【特許文献１】特開２００３−２３６０４１号公報
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】変更
【補正の内容】
【０００７】
本発明は、導出操作の順番によって異なる表示結果を導出させるスロットマシンを提供することを目的とする。
【手続補正８】
【補正対象書類名】明細書
【補正対象項目名】０００８
【補正方法】変更
【補正の内容】
【０００８】
上記課題を解決するために、本発明の請求項１に記載のスロットマシンは、
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せに応じて入賞が発生可能なスロットマシンにおいて、
表示結果が導出される前に、遊技用価値の付与を伴う異なる複数種類の小役入賞を含む入賞について発生を許容するか否かを決定する事前決定手段と、
遊技者が表示結果を導出させるために操作する導出操作手段と、
前記導出操作手段が操作されたときに、該導出操作手段に対応する可変表示部に表示結果を導出する制御を行う導出制御手段と、
遊技者にとって有利な有利状態に制御する有利状態制御手段と、
遊技の進行における所定の契機で報知条件に関する制御をし、該報知条件にしたがって所定の情報を報知する報知期間に制御する報知期間制御手段と、
を含み、
前記事前決定手段は、複数種類の小役入賞について発生を許容する旨を同時に決定する同時決定を行うことが可能であり、
前記導出制御手段は、
前記事前決定手段により前記同時決定がなされた場合において、前記導出操作手段が第１の操作順で操作された場合には、発生を許容する旨が決定された複数種類の小役入賞を対象として発生し得る小役入賞の数が多くなるように表示結果を導出する制御を行い、
前記事前決定手段により前記同時決定がなされた場合において、前記導出操作手段が前記第１の操作順とは異なる第２の操作順で操作された場合には、発生を許容する旨が決定された複数種類の小役入賞を対象として付与される遊技用価値が最も多くなり得るように表示結果を導出する制御を行い、
前記報知期間制御手段による前記報知条件に関する制御の有利度が、前記所定の契機のうち所定状態における第１契機と前記所定状態における第２契機とで異なり得るように、前記報知期間制御手段は、前記報知条件に関する制御を行う
ことを特徴としている。
【手続補正書】
【提出日】平成27年6月4日(2015.6.4)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
遊技者により操作可能な第１の操作手段と、
遊技者により操作可能な第２の操作手段と、
前記第１の操作手段及び前記第２の操作手段の操作に応じてゲームの進行制御を行うゲーム進行制御手段と、
所定の条件が成立した後、終了条件が成立するまで前記第１の操作手段の操作も前記第２の操作手段の操作もゲームの進行制御に関与しない非関与制御状態に制御する非関与制御手段と、
前記非関与制御状態において、ゲームの進行制御に関与しない操作手段の操作に基づいて遊技者にとっての有利度を示唆する特定演出を実行することが可能な特定演出実行手段と、
を備え、
前記非関与制御状態の終了後の状態として、前記第１の操作手段の操作がゲームの進行制御に関与し、前記第２の操作手段の操作がゲームの進行制御に関与しない特定進行制御状態があり、
前記特定演出実行手段は、終了後の状態が前記特定進行制御状態となる非関与制御状態において、前記第１の操作手段の操作には基づかず前記第２の操作手段の操作に基づいて前記特定演出を実行することが可能であり、
前記スロットマシンは、終了後の状態が前記特定進行制御状態となる非関与制御状態において、前記第２の操作手段の操作を促す演出を実行する、スロットマシン。
【手続補正２】
【補正対象書類名】明細書
【補正対象項目名】０００２
【補正方法】削除
【補正の内容】
【手続補正３】
【補正対象書類名】明細書
【補正対象項目名】０００３
【補正方法】変更
【補正の内容】
【０００３】
この種のスロットマシンとしては、特許文献１、２に記載のものがある。
【手続補正４】
【補正対象書類名】明細書
【補正対象項目名】０００４
【補正方法】変更
【補正の内容】
【０００４】
【特許文献１】特開２００８−１４８９００号公報
【特許文献２】特開２００５−６６３６８号公報
【手続補正５】
【補正対象書類名】明細書
【補正対象項目名】０００５
【補正方法】変更
【補正の内容】
【０００５】
本発明は、ゲームの進行制御が不能化された状態の終了時に遊技者が意図せずゲームが進行してしまうことを防止できることを目的とする。
【手続補正６】
【補正対象書類名】明細書
【補正対象項目名】０００６
【補正方法】変更
【補正の内容】
【０００６】
上記課題を解決するために、本発明の請求項１に記載のスロットマシンは、
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
遊技者により操作可能な第１の操作手段と、
遊技者により操作可能な第２の操作手段と、
前記第１の操作手段及び前記第２の操作手段の操作に応じてゲームの進行制御を行うゲーム進行制御手段と、
所定の条件が成立した後、終了条件が成立するまで前記第１の操作手段の操作も前記第２の操作手段の操作もゲームの進行制御に関与しない非関与制御状態に制御する非関与制御手段と、
前記非関与制御状態において、ゲームの進行制御に関与しない操作手段の操作に基づいて遊技者にとっての有利度を示唆する特定演出を実行することが可能な特定演出実行手段と、
を備え、
前記非関与制御状態の終了後の状態として、前記第１の操作手段の操作がゲームの進行制御に関与し、前記第２の操作手段の操作がゲームの進行制御に関与しない特定進行制御状態があり、
前記特定演出実行手段は、終了後の状態が前記特定進行制御状態となる非関与制御状態において、前記第１の操作手段の操作には基づかず前記第２の操作手段の操作に基づいて前記特定演出を実行することが可能であり、
前記スロットマシンは、終了後の状態が前記特定進行制御状態となる非関与制御状態において、前記第２の操作手段の操作を促す演出を実行する
ことを特徴としている。
【手続補正書】
【提出日】平成27年6月22日(2015.6.22)
【手続補正１】
【補正対象書類名】特許請求の範囲
【補正対象項目名】全文
【補正方法】変更
【補正の内容】
【特許請求の範囲】
【請求項１】
前身頃と，後身頃と，前記前身頃と後身頃の間に位置する股下域を有し，
前記前身頃と前記後身頃は，使い捨ておむつの幅方向の両端部分に設けられたサイドシール部（４）において，相対する端部が接合され，
前記前身頃及び前記後身頃は，
前記サイドシール部（４）が前記幅方向の両端部分に形成された本体領域（１１，２１）と，
前記本体領域（１１，２１）から前記股下域の方向に向かって延出し，前記幅方向における幅が前記股下域の方向に向かうにつれて漸次狭くなる形状の延出領域（１２，２２）と，を有し，
前記本体領域（１１，２１）には，一又は複数の第１伸縮部材（１３，２３）が，前記幅方向に沿った伸長状態で配置されており，
前記延出領域（１２，２２）には，一又は複数の第２伸縮部材（１４，２４）が，前記幅方向に沿った伸長状態で配置されている，
パンツ型の使い捨ておむつの製造方法であって，
前記第２伸縮部材（１４，２４）を脱脂する脱脂工程と，
前記脱脂工程の後に，前記第２伸縮部材（１４，２４）に接着剤を塗布して，前記第２伸縮部材（１４，２４）を前記延出領域（１２，２２）に相当する領域に接合する接合工程と，を含む
使い捨ておむつの製造方法。
【請求項２】
前記脱脂工程は，前記第２伸縮部材（１４，２４）の油剤付着量を０．１重量％以下にする工程である
請求項１に記載の製造方法。
【請求項３】
前記脱脂工程は，予め油剤が付着していた前記第２伸縮部材（１４，２４）を脱脂する工程である
請求項２に記載の製造方法。
【請求項４】
前記第１伸縮部材（１３，２３）は，油剤付着量が５重量％以上である
請求項１から請求項３のいずれかに記載の製造方法。
【手続補正２】
【補正対象書類名】明細書
【補正対象項目名】００５２
【補正方法】変更
【補正の内容】
【００５２】
また，本発明において，延出領域１２，２２に配置される第２伸縮部材１４，２４については，ホットメルト接着剤等を塗布する工程の前に，脱脂する工程を経た弾性伸縮部材を用いることとしてもよい。弾性伸縮部材を脱脂する場合，この弾性伸縮部材には，脱脂工程の前に油剤を付着させることとしてもよいし，油剤を付着させなくてもよい。好ましくは，油剤を付着させずに製造された弾性伸縮部材を，脱脂した後に，ホットメルト接着剤を塗布して，シート部材の間に挟み固定する。このように，脱脂工程を経た弾性伸縮部材を第２伸縮部材１４，２４として利用することで，第２伸縮部材１４，２４とホットメルト接着剤の接着力が向上する。脱脂工程とは，弾性伸縮部材の表面に接着剤を塗工する前に，弾性伸縮部材の表面の油分を取り除く表面処理である。脱脂工程としては，例えば，弾性伸縮部材を有機溶剤（液状）に含浸させる工程を行えばよい。有機溶剤の例としては，トルエン，キシレン，エチルベンゼン，トリメチルベンゼンなどの芳香族炭化水素や；  ｎ−ペンタン，ｎ−ヘキサン，ｎ−ヘプタンなどの脂肪族炭化水素；  シクロペンタン，シクロヘキサンなどの脂環式炭化水素；  クロロベンゼン，ジクロロベンゼン，トリクロロベンゼンなどのハロゲン化炭化水素；  アニソールなどのエーテル化合物；  メチルエチルケトン，メチルイソブチルケトン，シクロペンタノン，シクロヘキサノンなどを挙げることができる。
【手続補正３】
【補正対象書類名】明細書
【補正対象項目名】発明の名称
【補正方法】変更
【補正の内容】
【発明の名称】パンツ型の使い捨ておむつの製造方法
【手続補正書】
【提出日】平成27年5月7日(2015.5.7)
【手続補正１】
【補正対象書類名】明細書
【補正対象項目名】０００２
【補正方法】変更
【補正の内容】
【０００２】
内燃機関には、シリンダヘッドに形成した吸気ポート及び排気ポートを開閉する吸気バルブ及び排気バルブを備え、吸気バルブ及び排気バルブを開閉駆動する吸気ロッカーアーム及び排気ロッカーアームを備え、吸気ロッカーアーム及び排気ロッカーアームを吸気カム軸及び排気カム軸により揺動させて吸気バルブ及び排気バルブを開閉駆動するものがある。
このような内燃機関には、特開２００５−２６４８１８号公報に、吸気ロッカーアームの支点側端部を吸気バルブ及び排気バルブの間に配置し、排気ロッカーアームの支点側端部を排気バルブに対して吸気バルブから離れる側に配置した構造が開示されている。
【手続補正２】
【補正対象書類名】明細書
【補正対象項目名】０００３
【補正方法】変更
【補正の内容】
【０００３】
【特許文献１】特開２００５−２６４８１８号公報
【手続補正３】
【補正対象書類名】明細書
【補正対象項目名】０００４
【補正方法】変更
【補正の内容】
【０００４】
ところが、上記特開２００５−２６４８１８号公報の内燃機関は、排気ロッカーアームの支点側端部を支持する支持部材である油圧式の排気ラッシュアジャスタが排気ポートの上方に配置されている。
このため、上記特開２００５−２６４８１８号公報の内燃機関は、排気ポートの熱が油圧式の排気ラッシュアジャスタに作用することから、排気ラッシュアジャスタの周辺にウォータジャケットを配置し、オイルを冷却する必要があり、シリンダヘッドの構造が複雑になる問題があった。
【手続補正４】
【補正対象書類名】明細書
【補正対象項目名】０００８
【補正方法】変更
【補正の内容】
【０００８】
【図１】図１は内燃機関のシリンダヘッドの断面図である。（実施例）
【図２】図２は吸気バルブ軸と排気バルブ軸との長さの違いを示す概略図である。（実施例）
【図３】図３は吸気バルブ軸のバルブ軸突出長さと排気バルブ軸のバルブ軸突出長さとの違いを示すシリンダヘッドの断面図である。（実施例）
【図４】図４（Ａ）はバルブ軸突出長さが短い吸気バルブ軸の上端面に揺動側端部を当接させた吸気ロッカーアームの傾きを示す断面図、図４（Ｂ）はバルブ軸突出長さが長い吸気バルブ軸の上端面に揺動側端部を当接させた吸気ロッカーアームの傾きを示す断面図である。（実施例）
【手続補正５】
【補正対象書類名】明細書
【補正対象項目名】００１９
【補正方法】変更
【補正の内容】
【００１９】
さらに、この内燃機関１は、吸気バルブ軸１９が排気バルブ軸２１よりも長くなっており、この吸気バルブ軸１９の上端面から吸気バルブスプリング２２上端までの距離Ｄ１と排気バルブ軸２１の上端面から排気バルブスプリング２６上端までの距離Ｄ２とを略同一にし、かつ、コッタ２３とリテーナ２４との取付位置を吸気バルブ軸１９の上端面側に移動させ、吸気バルブスプリング２２の取付け長さＬ１を排気バルブスプリング２６の取付け長さＬ２よりも大きくしたことで、吸気バルブスプリング２２上端のリテーナ２４に吸気ロッカーアーム３０の揺動側端部３１を近接させて配置することができる。
これにより、この内燃機関１は、吸気バルブ軸１９の上端面に吸気ロッカーアーム３０の揺動側端部３１を当接させた状態で組付けを行う際に、図４（Ａ）に示すように、吸気ロッカーアーム３０の傾きを吸気バルブスプリング２２上端を支持するリテーナ２４で受けて抑制することができ、吸気カム軸４４の組付けまでに吸気ロッカーアーム３０が吸気バルブ軸１９の上端面から脱落することを防止できる。
また、この内燃機関１は、吸気バルブスプリング２２上端を支持するリテーナ２４を吸気バルブ軸１９の上端面側に移動させたことで、吸気バルブ軸１９の上端面から吸気バルブスプリング２２上端までの距離Ｄ１が短くなるため、吸気バルブスプリング２２上端を吸気バルブ軸１９に固定するコッタ２３及びリテーナ２４の自動組み付け設備費用の増加と組付性の悪化を防ぐことができる。
【手続補正書】
【提出日】平成27年8月18日(2015.8.18)
【手続補正１】
【補正対象書類名】特許請求の範囲
【補正対象項目名】全文
【補正方法】変更
【補正の内容】
【特許請求の範囲】
【請求項１】
互いに並置された複数の羽根と、この複数の羽根を相互に連結するリンク機構と、複数の羽根を昇降させる昇降機構と、羽根の昇降と同期して複数の羽根を傾動させる傾動機構とを具備しており、リンク機構は、複数の羽根の前縁部に連結された前縁リンク部材と、複数の羽根の後縁部に連結された後縁リンク部材とを具備しており、上下方向に関して隣接する二つの羽根において下側の羽根に対して上側の羽根が上下方向に関して重ね合わされる場合に、上側の羽根に係る前縁リンク部材及び後縁リンク部材の夫々の下端面が接触する下側の羽根に係る前縁リンク部材及び後縁リンク部材の夫々の上面は、上側の羽根に係る前縁リンク部材及び後縁リンク部材の夫々を上側の羽根の中央部に向かって倒れさせるようになっているブラインド装置。
【請求項２】
互いに並置された複数の羽根と、この複数の羽根を相互に連結するリンク機構と、複数の羽根を昇降させる昇降機構と、羽根の昇降と同期して複数の羽根を傾動させる傾動機構と、羽根の水平面内での揺動を防止するように羽根を保持する保持手段とを具備しており、保持手段は、羽根の横縁部を貫通していると共に両端が夫々固定されて鉛直方向に延びる保持用の紐状体を具備しており、羽根は、その横縁部に保持用の紐状体が貫通する保持用の貫通孔を具備しており、保持用の貫通孔は、羽根の後縁部に向かって延びて羽根の上側の外面で終端している羽根の一方の傾斜面と、羽根の前縁部に向かって延びて羽根の下側の外面で終端している羽根の他方の傾斜面とで規定されているブラインド装置。
【請求項３】
互いに並置された複数の羽根と、この複数の羽根を相互に連結するリンク機構と、複数の羽根を昇降させる昇降機構と、羽根の昇降と同期して複数の羽根を傾動させる傾動機構とを具備しており、昇降機構は、最下端の羽根に接触して当該羽根を受容する受け台と、一端部で受け台に連結されていると共に各羽根の横縁部を貫通している昇降用の紐状体と、傾動機構の傾動動作と同期して紐状体を走行させる走行手段とを具備しており、羽根は、その横縁部に昇降用の紐状体を貫通させる貫通孔を有しており、貫通孔は、昇降用の紐状体の断面形状に相当する形状を有すると共に羽根の内周面で規定された中央孔と、この中央孔に連通する拡大孔とを具備しており、拡大孔は、中央孔を規定する羽根の内周面の一縁から羽根の後縁部に向かって延びている羽根の傾斜面で規定されており、中央孔を規定する羽根の内周面の他縁は、羽根の下側の外面で終端しているブラインド装置。
【請求項４】
互いに並置された複数の羽根と、この複数の羽根を相互に連結するリンク機構と、複数の羽根を昇降させる昇降機構と、羽根の昇降と同期して複数の羽根を傾動させる傾動機構とを具備しており、昇降機構は、最下端の羽根に接触して当該羽根を受容する受け台と、一端部で受け台に連結されていると共に各羽根の横縁部を貫通している昇降用の紐状体と、傾動機構の傾動動作と同期して紐状体を走行させる走行手段とを具備しており、上下方向に関して隣接する二つの羽根において下側の羽根に対して上側の羽根が上下方向に関して重ね合わされる場合に、上側の羽根に係る前縁リンク部材及び後縁リンク部材の夫々の下端面が接触する下側の羽根に係る前縁リンク部材及び後縁リンク部材の夫々の上面は、上側の羽根に係る前縁リンク部材及び後縁リンク部材の夫々を上側の羽根の中央部に向かって倒れさせるようになっているブラインド装置。
【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
車両の車体側と車輪側との間に設けられアクチュエータにより減衰力を調整可能な緩衝器と、
前記アクチュエータを調整するコントローラと、からなるサスペンション装置において、
前記緩衝器には高周波の振動に対してフリーピストンの移動により減衰力を低減する周波数感応部を設け、
前記コントローラは、前記車両の振動を高周波成分と低周波成分を含む振動から低周波成分を抽出し、該低周波成分に従って前記減衰力を調整し、高周波成分を制御対象から外すことを特徴とするサスペンション装置。
【請求項２】
前記車両の振動は、車両のばね上振動であることを特徴とする請求項１に記載のサスペンション装置。
【請求項３】
前記ばね上振動は、ばね上速度であることを特徴とする請求項２に記載のサスペンション装置。
【請求項４】
前記コントローラは、前記低周波成分を抽出するフィルタを有し、該フィルタは、カットオフ周波数により、前記低周波成分を抽出するもので、前記フィルタのカットオフ周波数を、車両のばね上共振周波数を抽出可能なカットオフ周波数としたことを特徴とする請求項１乃至３のいずれかに記載のサスペンション装置。
【請求項５】
前記コントローラは、少なくともアンチロール制御またはアンチダイブスクオット制御を行う操縦安定制御部を有することを特徴とする請求項１乃至４のいずれかに記載のサスペンション装置。
【請求項６】
前記コントローラは、前記緩衝器が伸び行程か縮み行程かを判断することなく、減衰力を調整することを特徴とする請求項１乃至５のいずれかに記載のサスペンション装置。
【手続補正２】
【補正対象書類名】明細書
【補正対象項目名】０００８
【補正方法】変更
【補正の内容】
【０００８】
上述した課題を解決するために、請求項１の発明が採用する構成は、車両の車体側と車輪側との間に設けられアクチュエータにより減衰力を調整可能な緩衝器と、前記アクチュエータを調整するコントローラと、からなるサスペンション装置において、前記緩衝器には高周波の振動に対してフリーピストンの移動により減衰力を低減する周波数感応部を設け、前記コントローラは、前記車両の振動を高周波成分と低周波成分を含む振動から低周波成分を抽出し、該低周波成分に従って前記減衰力を調整し、高周波成分を制御対象から外す構成としたことにある。
【手続補正書】
【提出日】平成27年10月22日(2015.10.22)
【手続補正１】
【補正対象書類名】特許請求の範囲
【補正対象項目名】全文
【補正方法】変更
【補正の内容】
【特許請求の範囲】
【請求項１】
トリム、船速、喫水の組み合わせによって規定される航行条件に対応付けて燃料消費量を記憶した記憶手段と、
船舶の航行中において前記航行条件を取得する取得手段と、
該取得された航行条件に含まれるトリムの理想値からのずれに基づいて決定される燃料消費量の改善率と、前記船舶の残航の距離とに基づいて、トリムの調整の要否の判定に必要な情報を算出する算出手段と、
該算出された情報を出力する出力手段と
を備える船舶管理装置。
【請求項２】
前記情報は、トリムの調整の有無で前記残航において消費されると見込まれる燃料の量の差分によって表される
ことを特徴とする請求項１に記載の船舶管理装置。
【請求項３】
前記情報は、前記トリムの調整の必要性の度合いを表す情報を生成する
ことを特徴とする請求項１に記載の船舶管理装置。
【請求項４】
前記算出手段は、前記残航において予測される気象条件を更に用いて、前記情報を算出する
ことを特徴とする請求項１ないし３のいずれか一つに記載の船舶管理装置。
【請求項５】
トリム、船速、喫水の組み合わせによって規定される航行条件に対応付けて燃料消費量を記憶した記憶手段を有するコンピュータに、
船舶の航行中において前記航行条件を取得するステップと、
該取得された航行条件に含まれるトリムの理想値からのずれに基づいて決定される燃料消費量の改善率と、前記船舶の残航の距離とに基づいて、トリムの調整の要否の判定に必要な情報を算出するステップと、
該算出された情報を出力するステップと
を実行させるためのプログラム。
【手続補正２】
【補正対象書類名】明細書
【補正対象項目名】発明の名称
【補正方法】変更
【補正の内容】
【発明の名称】船舶管理装置およびプログラム
【手続補正３】
【補正対象書類名】明細書
【補正対象項目名】０００５
【補正方法】変更
【補正の内容】
【０００５】
本発明は、一の態様において、トリム、船速、喫水の組み合わせによって規定される航行条件に対応付けて燃料消費量を記憶した記憶手段と、船舶の航行中において前記航行条件を取得する取得手段と、該取得された航行条件に含まれるトリムの理想値からのずれに基づいて決定される燃料消費量の改善率と、前記船舶の残航の距離とに基づいて、トリムの調整の要否の判定に必要な情報を算出する算出手段と、該算出された情報を出力する出力手段とを備える船舶管理装置を提供する。
好ましい態様において、前記情報は、トリムの調整の有無で前記残航において消費されると見込まれる燃料の量の差分によって表される。
好ましい態様において、前記情報は、前記トリムの調整の必要性の度合いを表す情報を生成する。
好ましい態様において、前記算出手段は、前記残航において予測される気象条件を更に用いて、前記情報を算出する。
本発明は、他の観点において、トリム、船速、喫水の組み合わせによって規定される航行条件に対応付けて燃料消費量を記憶した記憶手段を有するコンピュータに、船舶の航行中において前記航行条件を取得するステップと、該取得された航行条件に含まれるトリムの理想値からのずれに基づいて決定される燃料消費量の改善率と、前記船舶の残航の距離とに基づいて、トリムの調整の要否の判定に必要な情報を算出するステップと、該算出された情報を出力するステップと
を実行させるためのプログラムを提供する。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正書】
【提出日】平成27年4月23日(2015.4.23)
【手続補正１】
【補正対象書類名】特許請求の範囲
【補正対象項目名】全文
【補正方法】変更
【補正の内容】
【特許請求の範囲】
【請求項１】
内面および管端部を有する燃料補給管と、
前記管端部内に連結可能な閉鎖装置と、
前記管端部内で少なくとも部分的に燃料補給管の内面に連結されたロッキングブラケットであって、前記ロッキングブラケットは、前記閉鎖装置の前記管端部の中への挿入の間、燃料補給管に対する閉鎖装置の適切なアラインメントを促進する少なくとも１つの通路を画定する、ロッキングブラケットと、
を備えた、自動車用の燃料補給システム。
【請求項２】
前記閉鎖装置は、外壁と、前記外壁から延在する少なくとも１つの取り外し防止構造物とを備え、
前記少なくとも１つの取り外し防止構造物は、前記閉鎖装置の前記管端部の中への挿入の間、前記少なくとも１つの通路を通過するように構成され、
前記少なくとも１つの取り外し防止構造物は、前記閉鎖装置の挿入の後の前記管端部からの前記閉鎖装置の取り外しと、前記ロッキングブラケットに対する第１の回転位置から前記ロッキングブラケットに対する第２の回転位置への前記閉鎖装置の回転とを防止する、
請求項１記載の燃料補給システム。
【請求項３】
前記閉鎖装置は、前記外壁から延在する少なくとも１つの回転防止構造物を備え、
前記少なくとも１つの回転防止構造物は、前記閉鎖装置の第２の回転位置への回転の後に前記ロッキングブラケットに係合して、前記ロッキングブラケットに対する前記閉鎖装置のさらなる回転を防止する、
請求項２記載の燃料補給システム。
【請求項４】
前記少なくとも１つの回転防止構造物は、前記ロッキングブラケットにおける寸法の変動に適合する自己調整構造物を備える、
請求項３記載の燃料補給システム。
【請求項５】
前記少なくとも１つの回転防止構造物は、
前記閉鎖装置の前記管端部の中への挿入と、前記第１の回転位置から前記第２の回転位置への前記閉鎖装置の回転とのうちの少なくとも１つの間、内向き方向にたわむように構成された半径方向可動タブを備え、
前記タブは、前記閉鎖装置の前記第２の回転位置への回転の後、前記ロッキングブラケットの端部に係合する、
請求項３記載の燃料補給システム。
【請求項６】
前記ロッキングブラケットは、
少なくとも１つの半径方向内方延在部と、
前記少なくとも１つの通路を少なくとも部分的に画定する少なくとも１つの半径方向外方延在部と、をさらに備える、
請求項１記載の燃料補給システム。
【請求項７】
前記燃料補給管および前記ロッキングブラケットは、金属材料から構成され、
前記ロッキングブラケットは、溶接によって、前記燃料補給管の前記内面に連結される、
請求項１記載の燃料補給システム。
【請求項８】
前記燃料補給管は、非金属材料から製作され、
前記ロッキングブラケットは、前記燃料補給管の外面に連結される封止ブラケットのロッキング部として画定され、
前記ロッキング部は、前記燃料補給管内に延在する、
請求項１記載の燃料補給システム。
【請求項９】
閉鎖装置上で方向付けられた少なくとも１つの取り外し防止構造物を、燃料補給管端部の内面上で方向付けられたロッキングブラケットによって画定される少なくとも１つのアラインメントの経路とアラインさせるステップと、
少なくとも１つの取り外し防止構造物が少なくとも１つのアラインメントの経路を通過するように、閉鎖装置を燃料補給管端部の中に挿入するステップと、を含む、
自動車用の燃料補給システムの組立方法。
【請求項１０】
少なくとも１つの取り外し防止構造物および少なくとも１つのアラインメントの経路が互いに列から外れるまでの閉鎖装置の挿入の後、燃料補給管端部に対して閉鎖装置を回転させるステップを含む、
請求項９記載の燃料補給システムの組立方法。
【請求項１１】
ロッキングブラケットの側縁を少なくとも１つの取り外し防止構造物と係合させて、燃料補給管端部からの閉鎖装置の引き抜きを防止する、
請求項１０記載の燃料補給システムの組立方法。
【請求項１２】
閉鎖装置の挿入の後、燃料補給管端部に対する第１の回転位置から第２の回転位置に、閉鎖装置を回転させるステップと、
ロッキングブラケットを、閉鎖装置上で方向付けられた少なくとも１つの回転防止構造物と係合させて、ロッキングブラケットに対する閉鎖装置のさらなる回転を防止するステップと、を含む、
請求項９記載の燃料補給システムの組立方法。
【手続補正書】
【提出日】平成27年8月13日(2015.8.13)
【手続補正１】
【補正対象書類名】特許請求の範囲
【補正対象項目名】全文
【補正方法】変更
【補正の内容】
【特許請求の範囲】
【請求項１】
複数の細胞を含む試料から、該試料に含まれる特定の細胞を検出するための検出方法であって、
（１）複数のマイクロチャンバーを備えたマイクロアレイチップであって、該マイクロチャンバー１つあたりに複数の細胞を格納可能であり、該マイクロチャンバーの内部表面を含むマイクロアレイチップの表面の水接触角がθ／２法で測定した場合に１０°以下であるマイクロアレイチップに、該試料中の細胞を保持させる工程、及び
（２）該マイクロアレイチップに保持された細胞において、特定の細胞の有無を確認する工程、
を含む検出方法。
【請求項２】
前記マイクロチャンバーの内径が２０〜５００μｍ、深さが２０μｍ以上であり、該マイクロチャンバーの（内径：深さ）の比が（１：０．３５〜１）である、請求項１に記載の検出方法。
【請求項３】
マイクロチャンバーの開口部の形状が、三角形、四角形、五角形、六角形及び多角形からなる群から選択される少なくとも一種である、請求項１又は２に記載の検出方法。
【請求項４】
工程（１）における該試料中の細胞を保持させる工程が、該試料中の細胞をマイクロアレイチップ上に展開し、該試料中の２個以上の細胞を１つのマイクロチャンバーに格納したのち、該試料中の過剰な細胞を該マイクロアレイチップから洗浄する工程である、請求項１〜３のいずれか一項に記載の方法。
【請求項５】
複数のマイクロチャンバーを備えたマイクロアレイチップであって、該マイクロチャンバーの内部表面を含むマイクロアレイチップの表面の水接触角がθ／２法で測定した場合に１０°以下であるマイクロアレイチップを含む、請求項１〜４のいずれか一項に記載の検出方法を実施するための検出用キット。
【請求項６】
前記複数の細胞を含む試料が複数の血液細胞を含む試料であり、前記特定の細胞が感染症原因病原体の感染した血液細胞である、請求項５に記載の検出用キット。
【請求項７】
複数のマイクロチャンバーを備えており、該マイクロチャンバーの内部表面を含むマイクロアレイチップの表面の水接触角がθ／２法で測定した場合に１０°以下である、マイクロアレイチップ。
【請求項８】
前記マイクロチャンバーの内径が２０〜５００μｍ、深さが２０μｍ以上であり、該マイクロチャンバーの（内径：深さ）の比が（１：０．３５〜１）である、請求項７に記載のマイクロアレイチップ。
【請求項９】
マイクロチャンバーの開口部の形状が、三角形、四角形、五角形、六角形及び多角形からなる群から選択される少なくとも一種である、請求項７又は８に記載のマイクロアレイチップ。
【請求項１０】
前記マイクロチャンバー内に細胞が格納された、請求項７〜９のいずれか一項に記載のマイクロアレイチップ。
【手続補正書】
【提出日】平成27年5月11日(2015.5.11)
【手続補正１】
【補正対象書類名】特許請求の範囲
【補正対象項目名】全文
【補正方法】変更
【補正の内容】
【特許請求の範囲】
【請求項１】
タンパク質濃度が２００ｍｇ／ｍＬ以上であり、かつ粘度が５０センチポアズ未満である、対象への皮下送達に用いるためのタンパク質粒子の懸濁液。
【請求項２】
送達が、２１〜２７ゲージの針を備える注射器を用いて達成される、請求項１に記載の懸濁液。
【請求項３】
注射器が２５〜２７ゲージの針を備える、請求項２に記載の懸濁液。
【請求項４】
体積が５ｍＬ以下である、請求項１〜３のいずれか１項に記載の懸濁液。
【請求項５】
体積が１．５ｍＬ以下である、請求項１〜３のいずれか１項に記載の懸濁液。
【請求項６】
タンパク質粒子がサブミクロンサイズの粒子である、請求項１〜５のいずれか１項に記載の懸濁液。
【手続補正書】
【提出日】平成27年4月8日(2015.4.8)
【手続補正１】
【補正対象書類名】特許請求の範囲
【補正対象項目名】全文
【補正方法】変更
【補正の内容】
【特許請求の範囲】
【請求項１】
ガンマ-アルミナに担持された遷移金属触媒の存在下で1,8-シネオールを熱分解する工程を含む、1,8-シネオールからの不飽和環状化合物及び/又は芳香族化合物の製造方法であって、
遷移金属が、バナジウム、マンガン、ニッケル、ルテニウム、ロジウム、レニウム、イリジウム、及び白金の1種又は複数種から選択される、方法。
【請求項２】
不飽和環状化合物及び/又は芳香族化合物が、モノテルペノイドである、請求項1に記載の方法。
【請求項３】
不飽和環状化合物及び/又は芳香族化合物が、C10モノテルペノイドである、請求項1に記載の方法。
【請求項４】
不飽和環状化合物及び/又は芳香族化合物が、ジペンテン及びp-シメンから選択される、請求項1に記載の方法。
【請求項５】
遷移金属が、ルテニウムである、請求項1に記載の方法。
【請求項６】
不飽和環状化合物及び/又は芳香族化合物が、用いる1,8-シネオールの量に対して、少なくとも70質量%の量で製造される、請求項1から5のいずれか一項に記載の方法。
【請求項７】
不飽和環状化合物及び/又は芳香族化合物が、用いる1,8-シネオールの量に対して、少なくとも80質量%の量で製造される、請求項6に記載の方法。
【請求項８】
熱分解を、約200℃から約350℃の範囲の温度で実施する、請求項1から7のいずれか一項に記載の方法。
【請求項９】
熱分解が、ガンマ-アルミナに担持された遷移金属触媒を、気化させた1,8-シネオールと接触させる工程を含む、請求項1から8のいずれか一項に記載の方法。
【請求項１０】
前記気化させた1,8-シネオールが、窒素、アルゴン、及び酸素から選択されるキャリアガスを含む、請求項9に記載の方法。
【請求項１１】
前記気化させた1,8-シネオールが、キャリアガスを含み、熱分解が不活性熱分解として実施される、請求項9に記載の方法。
【請求項１２】
前記キャリアガスが窒素又はアルゴンを含む、請求項11に記載の方法。
【請求項１３】
ガンマ-アルミナに担持された遷移金属触媒を、遷移金属塩を含む水溶液中にガンマ-アルミナ担体を浸漬させる工程、得られた遷移金属でドーピングされたガンマ-アルミナ担体を水溶液から単離する工程、及び、単離した前記生成物を焼成して前記触媒を得る工程によって調製する、請求項1から12のいずれか一項に記載の方法。
【請求項１４】
ガンマ-アルミナに担持された遷移金属触媒を、遷移金属塩を含む水溶液中にガンマ-アルミナ担体を浸漬させる工程、前記溶液から水性液体を蒸発させて遷移金属でドーピングされたガンマ-アルミナ担体を単離する工程、及び、単離した前記生成物を焼成して前記触媒を得る工程によって調製する、請求項1から12のいずれか一項に記載の方法。
【請求項１５】
ガンマ-アルミナ担体が、約10m2/gを超える表面積を有する、請求項13又は14に記載の方法。
【請求項１６】
ガンマ-アルミナに担持された遷移金属触媒が、(ガンマ-アルミナ担体の質量に基づく遷移金属の質量%で)約0.01質量%から約10質量%の1種又は複数の遷移金属を含む、請求項1から15のいずれか一項に記載の方法。
【請求項１７】
1,8-シネオールからの不飽和環状化合物及び/又は芳香族化合物の製造における、ガンマ-アルミナに担持された遷移金属触媒の使用であって、遷移金属が、バナジウム、マンガン、ニッケル、ルテニウム、ロジウム、レニウム、イリジウム、及び白金の1種又は複数種から選択される、使用。
【手続補正書】
【提出日】平成27年7月3日(2015.7.3)
【手続補正１】
【補正対象書類名】特許請求の範囲
【補正対象項目名】全文
【補正方法】変更
【補正の内容】
【特許請求の範囲】
【請求項１】
式（１）：
【化３】
2015083565.tif 000001
［式中、
Ｒ１は水素原子、ハロゲン原子、ヒドロキシル基、Ｃ１−６アルキル基、１個若しくは複数個のハロゲン原子で置換されたＣ１−６アルキル基、Ｃ１−６アルコキシ基又は１個若しくは複数個のハロゲン原子で置換されたＣ１−６アルコキシ基を示し、；
Ｒ２は水素原子、Ｃ１−６アルキル基、Ｃ１−６アルキルカルボニル基又は１個若しくは複数個のヒドロキシル基で置換されたＣ１−６アルキルカルボニル基を示す］
で表される化合物又はその塩及びポリエチレングリコールを含有する、眼疾患を予防又は治療するための医薬組成物。
【請求項２】
式（１）において、
Ｒ１がＣ１−６アルコキシ基又は１個若しくは複数個のハロゲン原子で置換されたＣ１−６アルコキシ基を示し、；
Ｒ２がＣ１−６アルキルカルボニル基又は１個若しくは複数個のヒドロキシル基で置換されたＣ１−６アルキルカルボニル基を示す、請求項１記載の眼疾患を予防又は治療するための医薬組成物。
【請求項３】
式（１）において、
Ｒ１が１個若しくは複数個のハロゲン原子で置換されたＣ１−６アルコキシ基を示し、；
Ｒ２が１個若しくは複数個のヒドロキシル基で置換されたＣ１−６アルキルカルボニル基を示す、請求項１記載の眼疾患を予防又は治療するための医薬組成物。
【請求項４】
式（１）で表される化合物が、２−［［［２−［（ヒドロキシアセチル）アミノ］−４−ピリジニル］メチル］チオ］−Ｎ−［４−（トリフルオロメトキシ）フェニル］−３−ピリジンカルボキサミドである、請求項１記載の眼疾患を予防又は治療するための医薬組成物。
【請求項５】
ポリエチレングリコールの平均分子量が１００から２０００の範囲内である、請求項１〜４のいずれか一項に記載の眼疾患を予防又は治療するための医薬組成物。
【請求項６】
ポリエチレングリコールの平均分子量が２００から６００の範囲内である、請求項１〜４のいずれか一項に記載の眼疾患を予防又は治療するための医薬組成物。
【請求項７】
ポリエチレングリコールがＰＥＧ４００である、請求項１〜４のいずれか一項に記載の眼疾患を予防又は治療するための医薬組成物。
【請求項８】
前記医薬組成物中、ポリエチレングリコールの含有量が、７０〜９９．９９％（ｗ／ｗ）である、請求項１〜７のいずれか一項に記載の眼疾患を予防又は治療するための医薬組成物。
【請求項９】
式（１）で表される化合物又はその塩の含有量が、０．０１〜２０％（ｗ／ｖ）である、請求項１〜８のいずれか一項に記載の眼疾患を予防又は治療するための医薬組成物。
【請求項１０】
眼疾患が加齢性黄斑変性、糖尿病網膜症、未熟児網膜症、網膜静脈閉塞症、網膜動脈閉塞症、ポリープ状脈絡膜血管症、網膜血管腫状増殖、近視性脈絡膜新生血管、糖尿病黄斑浮腫、眼腫瘍、放射線網膜症（radiation retinopathy）、虹彩ルベオーシス、血管新生緑内障又は増殖性硝子体網膜症（PVR）である、請求項１〜９のいずれか一項に記載の眼疾患を予防又は治療するための医薬組成物。
【請求項１１】
硝子体内投与用である、請求項１〜１０のいずれか一項に記載の眼疾患を予防又は治療するための医薬組成物。
【請求項１２】
１回につき、１〜１００μＬ投与される、請求項１１記載の眼疾患を予防又は治療するための医薬組成物。
【請求項１３】
１週間に１回〜３年に１回の間隔で投与される、請求項１１又は１２に記載の眼疾患を予防又は治療するための医薬組成物。
【請求項１４】
式（１）で表される化合物又はその塩をポリエチレングリコールに溶解させることによる、眼疾患を予防又は治療するための医薬組成物中の式（１）で表される化合物又はその塩を安定化する方法。
【請求項１５】
式（１）で表される化合物が、２−［［［２−［（ヒドロキシアセチル）アミノ］−４−ピリジニル］メチル］チオ］−Ｎ−［４−（トリフルオロメトキシ）フェニル］−３−ピリジンカルボキサミドである、請求項１４記載の方法。
【手続補正書】
【提出日】平成27年7月28日(2015.7.28)
【手続補正１】
【補正対象書類名】明細書
【補正対象項目名】００３５
【補正方法】変更
【補正の内容】
【００３５】
（参考例）
５つのシリコンカーバイドウエハ（４Ｈ  ｎ＋  ＳｉＣ、７６ｍｍ直径、＜１１２０＞方向に８度傾斜）を反応チャンバに設け、およそ１５７０℃〜１６００℃に加熱した。反応チャンバ内の圧力を９５ｔｏｒｒに維持した。水素ガスと、プロパンガスと、トリクロロシランガスと、窒素ガスとを含む混合ガスを反応チャンバ内に導入すると共に、上記圧力を維持した。得られた製品は５つのシリコンカーバイドウエハであり、ウエハはそれぞれ３０μｍの４Ｈ  ＳｉＣエピタキシャル層を含有する。窒素流を用いて達成されるｎ型ドーピングは、約５×１０１５／ｃｍ３の正味キャリア濃度に相当する。マイクロ波光伝導減衰法を用いて再結合ライフタイム測定を行った。５つのウエハについて測定した個々のライフタイム中央値は０．９マイクロ秒〜１．２マイクロ秒の範囲であった。５つのウエハについて測定した個々の平均ライフタイムは０．９マイクロ秒〜１．６マイクロ秒の範囲であった。
【手続補正２】
【補正対象書類名】特許請求の範囲
【補正対象項目名】全文
【補正方法】変更
【補正の内容】
【特許請求の範囲】
【請求項１】
得られるコーティングが０．５マイクロ秒〜１０００マイクロ秒のキャリアライフタイムを有するように、シリコンカーバイドコーティングを基板上に堆積させる方法であって、
ａ．ジクロロシランガス、メチルハイドロジェンジクロロシランガス、ジメチルジクロロシランガス、及びそれらの混合物からなる群から選択されるクロロシランガスと、炭素含有ガスと、水素ガスとを含む、制御量の混合ガスを、基板領域全体にわたって均質な蒸気の流れを生じさせるように、４Ｈ単結晶シリコンカーバイド基板を含有する反応チャンバの一部に連続的に導入すると共に、反応チャンバ内の別の部分から真空引きすること、及び
ｂ．１２００℃より高いが１８００℃より低い温度に該基板を加熱すること、
を含むが、但し、該反応チャンバ内の圧力は１０ｔｏｒｒ〜２５０ｔｏｒｒの範囲に維持されるものとし、ここで、全ガス流量が、１リットル／分〜１５０リットル／分であり、炭素含有ガスとクロロシランガスとの合計流量が、全流量の０．１％〜３０％であり、且つケイ素含有ガスに対する炭素含有ガスの流量の比率が０．３〜３である、シリコンカーバイドコーティングを基板上に堆積させる方法。
【請求項２】
前記混合ガスがドーピングガスをさらに含む、請求項１に記載の方法。
【請求項３】
前記ドーピングガスが、窒素ガスである、請求項２に記載の方法。
【請求項４】
前記炭素含有ガスが、Ｃ３Ｈ８ガス、Ｃ２Ｈ６ガス、ＣＨ３Ｃｌガス又はＣＨ３ＣＨ２ＣＨ２Ｃｌガスである、請求項１〜３のいずれか１項に記載の方法。
【手続補正書】
【提出日】平成27年3月26日(2015.3.26)
【手続補正１】
【補正対象書類名】明細書
【補正対象項目名】発明の名称
【補正方法】変更
【補正の内容】
【発明の名称】サーバ装置、サーバ装置の制御方法、及びプログラム
【手続補正２】
【補正対象書類名】特許請求の範囲
【補正対象項目名】全文
【補正方法】変更
【補正の内容】
【特許請求の範囲】
【請求項１】
複数のプレイヤが参加可能なゲームを提供し、且つ、前記プレイヤが操作する端末装置に通信回線を介して接続されるサーバ装置であって、
前記プレイヤが所属するグループの情報を複数記憶する記憶部と、
複数の前記グループのそれぞれと第２のゲームキャラクタとの対戦、前記複数のグループと第１のゲームキャラクタとの対戦、及び前記複数のグループ間の対戦を実行する制御部と、を有し、
前記制御部は、
前記プレイヤのゲーム参加時刻に従って、前記複数のグループ間の対戦及び前記複数のグループのそれぞれと前記第２のゲームキャラクタとの対戦のいずれか一方を実行し、
前記複数のグループ間の対戦の実行中に、前記複数のグループと前記第１のゲームキャラクタとの対戦を実行する、
ことを特徴とするサーバ装置。
【請求項２】
前記制御部は、
前記複数のグループと前記第１のゲームキャラクタとの対戦の実行に際して、前記複数のグループのそれぞれが前記第１のゲームキャラクタへ与えるダメージに関連付けられたゲームパラメータを設定し、
前記複数のグループと前記第１のゲームキャラクタとの対戦において、前記ゲームパラメータの数値に基づいて、前記グループ間の勝敗を間接的に判定又は決定する、請求項１記載のサーバ装置。
【請求項３】
前記制御部は、前記複数のグループ間の対戦において、前記複数のグループ間の対戦の対戦状況又は対戦結果に基づいて、前記複数のグループ間の対戦の勝敗を直接的に判定又は決定する、請求項１又は２記載のサーバ装置。
【請求項４】
前記制御部は、前記複数のグループと前記第１のゲームキャラクタとの対戦を実行している間、前記複数のグループ間の対戦を中止又は中断する、
請求項３記載のサーバ装置。
【請求項５】
前記制御部は、
前記複数のグループのそれぞれと第２のゲームキャラクタとの対戦における各グループと前記第２のゲームキャラクタとの対戦状況又は対戦結果に基づいて、前記複数のグループと第１のゲームキャラクタとの対戦又は前記複数のグループ間の対戦で使用することが可能な報酬を前記各グループに付与し、
前記複数のグループと第１のゲームキャラクタとの対戦又は前記複数のグループ間の対戦において、前記複数のグループ毎の前記報酬の使用の有無を加味して、前記複数のグループと第１のゲームキャラクタとの対戦又は前記複数のグループ間の対戦の勝敗を判定又は決定する、請求項１〜４のいずれか１項記載のサーバ装置。
【請求項６】
記憶部を有し、複数のプレイヤが参加可能なゲームを提供し、且つ、前記プレイヤが操作する端末装置に通信回線を介して接続されるサーバ装置の制御方法であって、
前記プレイヤが所属するグループの情報を前記記憶部に複数記憶し、
複数の前記グループのそれぞれと第２のゲームキャラクタとの対戦、前記複数のグループと第１のゲームキャラクタとの対戦、及び前記複数のグループ間の対戦を実行することを含み、
前記対戦を実行することは、
前記プレイヤのゲーム参加時刻に従って、前記複数のグループ間の対戦及び前記複数のグループのそれぞれと前記第２のゲームキャラクタとの対戦のいずれか一方を実行し、
前記複数のグループ間の対戦の実行中に、前記複数のグループと前記第１のゲームキャラクタとの対戦を実行する、
ことを特徴とするサーバ装置の制御方法。
【請求項７】
記憶部を有し、複数のプレイヤが参加可能なゲームを提供し、且つ、前記プレイヤが操作する端末装置に通信回線を介して接続されるコンピュータに、
前記プレイヤが所属するグループの情報を前記記憶部に複数記憶し、
複数の前記グループのそれぞれと第２のゲームキャラクタとの対戦、前記複数のグループと第１のゲームキャラクタとの対戦、及び前記複数のグループ間の対戦を実行することを実行させ、
前記対戦を実行することは、
前記プレイヤのゲーム参加時刻に従って、前記複数のグループ間の対戦及び前記複数のグループのそれぞれと前記第２のゲームキャラクタとの対戦のいずれか一方を実行し、
前記複数のグループ間の対戦の実行中に、前記複数のグループと前記第１のゲームキャラクタとの対戦を実行する、
ことを特徴とするプログラム。